(57)【要約】【課題】  スロットイン方式のディスク装置におけるゲート構造は、一条のスリットが形成された一枚フェルト構造であるため、ディスクを保持する力が弱く、しかもばらつきがあった。【解決手段】  ディスク装置３のゲート２に、一条のスリット４と複数の交差スリット５が形成された弾性を有する第１フェルト６と、第１フェルト６よりも弱い弾性を有し少なくとも一条のスリット４が形成され前記第１フェルト６の背面に固着された第２フェルト７とを備える。ディスク通過口８が形成された表面シート９を第１フェルト６の正面に固着させてもよい。第２フェルト７の弾性を弱めて硬さを調整するために、第２フェルト７に第１フェルト６より多い交差スリット５を形成してもよい。また、第２フェルト７の一条のスリット４に複数の切り抜き部１０を形成してもよい。また、第２フェルト７の前後方向の厚さを第１フェルト６より薄くしてもよい。【選択図】      図１
2005285266.tif 000002
【特許請求の範囲】
【請求項１】
ディスクが装置の内部に出入するゲートを有したディスク装置において、前記ゲートに、一条のスリットと複数の交差スリットが形成された弾性を有する第１フェルトと、前記第１フェルトよりも弱い弾性を有し少なくとも一条のスリットが形成され前記第１フェルトの背面に固着された第２フェルトとを備えたことを特徴とするスロットイン方式のディスク装置におけるゲート構造。
【請求項２】
ディスクが装置の内部に出入するゲートを有したディスク装置において、前記ゲートに、ディスク通過口が形成された表面シートと、一条のスリットと複数の交差スリットが形成され前記表面シートの背面に固着された弾性を有する第１フェルトと、前記第１フェルトよりも弱い弾性を有し少なくとも一条のスリットが形成され前記第１フェルトの背面に固着された第２フェルトとを備えたことを特徴とするスロットイン方式のディスク装置におけるゲート構造。
【請求項３】
上記した第２フェルトに第１フェルトよりも多数の交差スリットを形成したことを特徴とする請求項１または２記載のスロットイン方式のディスク装置におけるゲート構造。
【請求項４】
上記した第２フェルトの一条のスリットに複数の切り抜き部を形成したことを特徴とする請求項１、２または３記載のスロットイン方式のディスク装置におけるゲート構造。
【請求項５】
上記した第２フェルトの前後方向の厚みが第１フェルトよりも薄いことを特徴とする請求項１、２、３または４記載のスロットイン方式のディスク装置におけるゲート構造。
【発明の詳細な説明】
【技術分野】
【０００１】
この発明は、埃や塵の侵入を防止するとともに、ディスクを保持することのできる、スロットイン方式のディスク装置におけるゲート構造に関するものである。
【背景技術】
【０００２】
従来、ＤＶＤなどのディスクを搬入または搬出するスロットイン・メカを有したディスク装置におけるゲート構造は、たとえば特開昭６３−２９８７６１「デイスクプレーヤ」の第２図に図示されたプレーヤ１のローディングスロット２のように、ディスクが通過するための一条のスリット（この「スリット」は貫通している切れ目のこと。）が形成された一枚構造のフェルトからなっている。また、特開２００２−３３４４９９号「ディスク記録及び／又は再生装置」の図９Ａに図示されたゲートカバー１３８のように、マスク開口部１４０と複数の交差切り口１４４とスリット１４５（この「スリット」は表面に切り込みを入れたもの。）が形成された一枚構造のフェルトからなっているものがある。
【０００３】
スロットイン・メカを有したディスク装置におけるディスクの出入り口に当たるゲート構造には、たとえば、埃がディスク装置の内部に侵入するのを防止すること、ディスクを入れるときにディスクに付着した塵がディスク装置の内部に侵入するのを防止すること、ユーザーがディスクを手でゲートに挿し込みスロットイン搬入位置にセットしてスロットイン・メカが搬入するまで、並びに、スロットイン・メカがディスクを取り出し位置まで搬出してユーザーが手で引き出すまで、それまでの間ディスクを保持してその位置から移動するのを防止すること、ディスクを保持してゲートをすり抜けて落下するのを防止すること、などの機能が求められる。普段一条のスリットは両側から閉じられており、ディスクが挿入されることで一条のスリットは反対方向の両側に押し開かれた状態に変形し、この時に生じる弾性の復元力でもってディスクを両側から挟み込んで保持する。
【特許文献１】特開昭６３−２９８７６１号公報
【特許文献２】特開２００２−３３４４９９号公報
【発明の開示】
【発明が解決しようとする課題】
【０００４】
上記した従来のスロットイン方式のディスク装置におけるゲート構造は、ディスクを保持する機能を期待されているにもかかわらず、フェルト一枚構造であるためディスクを保持する力が弱く、また、フェルト自体の弾性に強弱のばらつきがあるためディスク保持力は安定しなかった。ディスクを保持する力が弱く不安定であるため、ディスクを所定の位置で保持し続けることができず、ディスクが所定位置からずれるケースや、保持力が重力に負けてディスクが落下するケースがあった。弱い保持力の特に問題となるのは、ディスク装置が横型であるよりも重力の影響を受けやすい縦型である場合が多い。
【０００５】
前記した特開昭６３−２９８７６１号公報と特開２００２−３３４４９９号公報のゲート構造は、どちらも上記従来の問題点を共有している。一枚フェルト構造であるため、ディスク保持力が不安定で弱い。特開昭６３−２９８７６１号公報の場合は、ディスク装置のスロットイン・メカがディスクを搬入する前も、搬出した後も、ディスクを保持する力が弱いという問題を有している。特開２００２−３３４４９９号公報の場合は、ディスク装置のスロットイン・メカがディスクを搬入する前はディスクを保持する力が普通に弱く、搬出した後は表面に入れた切込みのためにディスクを保持する力は普通以上に弱くなる、という問題を有している。
【０００６】
ゲート構造におけるディスク保持力に関し、もう一つ着目しなければならない点は、フェルトの硬さである。強い弾性を有して、しかも、硬過ぎないというのが理想的なフェルトである。硬過ぎると、ディスクが一条のスリットに出入する際、特に挿入時の抵抗が大きくなり過ぎるという問題が生じる。フェルトは、弾性を強くすると硬くなり、弾性を弱くすると柔軟性が増す傾向にある。従来は、この硬くなり過ぎることを避けて、弾性の強さつまりディスク保持力を犠牲にしてきた面がある。ここにディスクの保持力を高める上での大きなジレンマがあった。
【０００７】
空気中の埃やディスクに付着した塵を遮るのは一枚のフェルトのみであるため、侵入を防ぎきれない恐れがある。
【０００８】
本発明は、上記従来の問題を解決するため、フェルトの強い弾性と適度の硬さを実現し、ディスク保持力の優れた、スロットイン方式のディスク装置におけるゲート構造を提供することを目的とする。
【課題を解決するための手段】
【０００９】
上記した従来のゲート構造の課題を解決するため、請求項１に係る本発明のスロットイン方式のディスク装置におけるゲート構造は、ディスクが装置の内部に出入するゲートを有したディスク装置において、前記ゲートに、一条のスリットと複数の交差スリットが形成された弾性を有する第１フェルトと、前記第１フェルトよりも弱い弾性を有し少なくとも一条のスリットが形成され前記第１フェルトの背面に固着された第２フェルトとを備えたことを特徴とする。
【００１０】
また、請求項２に係る本発明のスロットイン方式のディスク装置におけるゲート構造は、ディスクが装置の内部に出入するゲートを有したディスク装置において、前記ゲートに、ディスク通過口が形成された表面シートと、一条のスリットと複数の交差スリットが形成され前記表面シートの背面に固着された弾性を有する第１フェルトと、前記第１フェルトよりも弱い弾性を有し少なくとも一条のスリットが形成され前記第１フェルトの背面に固着された第２フェルトとを備えたことを特徴とする。
【００１１】
また、請求項３に係る本発明のディスク装置におけるゲート構造は、上記請求項１または２記載の発明において、上記した第２フェルトに第１フェルトよりも多数の交差スリットを形成したことを特徴とする。
【００１２】
また、請求項４に係る本発明のディスク装置におけるゲート構造は、上記請求項１、２または３記載の発明において、上記した第２フェルトの一条のスリットに複数の切り抜き部を形成したことを特徴とする。
【００１３】
また、請求項５に係る本発明のディスク装置におけるゲート構造は、上記請求項１、２、３または４記載の発明において、上記した第２フェルトの前後方向の厚みが第１フェルトよりも薄いことを特徴とする。
【発明の効果】
【００１４】
本発明によれば、第２フェルトを第１フェルトに加えることにより、強い弾性と適度な硬さを有した優れたディスク保持力を実現することができる。フェルトを二枚重ねにすることで全体としての弾性を強化することができ、ディスクの保持力を強くすることができる。ディスク保持力が強いので、ディスクのずれや落下を防止することができる。重力の影響が大きい縦型のディスク装置においても、ディスクを確実に保持して落下を防止する。フェルトを二枚重ねにすることで、弾力や硬さのばらつきを解消することができる。弾性を有した第１フェルトに第１フェルトよりも弱い弾性を有した第２フェルトを二枚重ねにすることで、硬くなり過ぎることを防止することができる。第１フェルトに従来のフェルトを使用することが可能であり、第２フェルトを加工してディスクの保持力を第１フェルトより弱くすることで、ディスクの保持力を調整できる。第１フェルトと第２フェルトの二枚フェルト構造により、二重の防塵構造となり、空気中の埃やディスクに付着した塵の侵入を防ぐ機能が強化される。また、第２フェルトに切抜き部を形成しても、第１フェルトは外部に対して閉じているので、防塵性は損なわれない。
【００１５】
請求項２記載の発明によれば、表面シートによりフェルトを汚れや損傷から守ることができる。
【００１６】
請求項３、４または５記載の発明によれば、第２フェルトの弾性や硬さの調節が可能であり、強い弾性と適度な硬さを有した優れたディスク保持力を実現することができる。
【発明を実施するための最良の形態】
【００１７】
以下、本発明に係るディスク装置におけるゲート構造を実施するための最良の形態の一例について図面を参照しながら説明するが、本発明は本実施の形態にのみ限定されるべきものではない。
【００１８】
図中３は、図示しないスロットイン・メカを内蔵したディスク装置である。図中１１は、ディスク装置３の内部にディスクが出入するためのゲート２が形成されたゲート部材である。ゲート部材１１の中央が湾曲形成されているのは、ディスク１の挿し込みがしやすいためである。図中６は、切れ目が貫通している一条のスリット４が長さ方向に形成され、この一条のスリット４に直交して切れ目が貫通した複数の交差スリット５が形成された、弾性を有する第１フェルトである。第１フェルト６はディスク保持機能を有している。第１フェルト６は従来のフェルトをそのまま使用することができる。交差スリット５は、フェルトが硬くなり過ぎるのを防いでディスク１が通過しやすくする。図中７は、第１フェルト６よりも弱い弾性を有し、少なくとも切れ目が貫通している一条のスリット４が長さ方向に形成された第２フェルトである。第２フェルト７はディスク保持機能の補助である。図中９は、ディスク通過口８が形成された塩化ビニル製の表面シートであり、フェルトの保持機能を有している。図中１２は、ゲート部材１１のゲート２の周囲に形成されている突起を挿入するための位置決め穴である。各構成物の固着方法は、接着剤、粘着剤、粘着両面テープ１３、その他自由であるが、本実施の形態では粘着両面テープ１３を用いている。表面シート９の背面に第１フェルト６を固着し、第１フェルト６の背面に第２フェルト７を固着し、第２フェルト７の背面をゲート部材１１の正面に固着している。位置決め穴１２を揃えて固着し、ゲート部材１１のゲート２の周囲に形成された突起を位置決め穴１２に挿入してゲート部材１１と第２フェルト７を固着することで、正確なゲート構造の位置決めをすることができる。図４と図７に示した斜線部分は、粘着両面テープ１３が貼られた粘着領域である。
【００１９】
図１のゲート構造の第２フェルト７は、一条のスリット４と第１フェルト６の２倍の数の交差スリット５が形成されている。交差スリット５が増えて間隔が短くなると、第２フェルト７全体では変わらないが、交差スリット５で区切られた１個１個のフェルトの弾性と硬さは小さくなる。
【００２０】
図２のゲート構造の第２フェルト７は、一条のスリット４の形成されたフェルトの３箇所に切り抜き部１０が形成されている。切抜き部１０が形成されると、局部的に弾性と硬さが小さくなる。
【００２１】
図３のゲート構造の第２フェルト７は、前後方向の厚みが第１フェルト６よりも薄いフェルトに、一条のスリット４と第１フェルト６と同数の交差スリット５が形成されている。フェルトが薄いと、第２フェルト７全体の弾性と硬さが小さくなる。
【００２２】
図１４、図１５、図１６は、ディスク装置３へのディスク１の出入とディスク保持状態を示している。この図に示された実施形態では、第２フェルト７は第１フェルト６よりも薄いフェルトが用いられている。普段一条のスリット４は、図１４に示すように、両側から閉じられている。まず、ユーザーは図１４に示すようにして、ディスク１を一条のスリット４に向けて移動させる。そのまま図１５に示すように、ディスク１を一条のスリット４からスロットイン・メカの搬入位置まで挿し込み、手を離すと、ディスク１は自動的にディスク装置３の内部に搬入される。ディスク１を挿入することで一条のスリット４は内部方向の両側に押し開かれた状態に弾性変形し、この時に生じる弾性復元力でもってディスク１を両側から挟み込んで保持する。二枚重ねに固着されている第１フェルト６と第２フェルト７の弾性は強化されており、その分ディスク１の保持力も強くなる。ディスク１を取り出すときは、図１６に示すように、スロットイン・メカが自動的に引き出し位置まで搬出する。ディスク１が内側から搬出されることで一条のスリット４は外部方向の両側に押し開かれた状態に弾性変形し、この時に生じる弾性復元力でもってディスク１を両側から挟み込み保持する。第１フェルト６と第２フェルト７が二枚重ねに固着されて強化された弾性により、ディスク１は強い力で保持される。最後にユーザーは、図１４に示すようにディスク１をディスク装置３から引き出す。
【００２３】
第２フェルト７は、前後方向の厚みが第１フェルト６よりも薄いフェルトに、一条のスリット４と切り抜き部１０が形成されていてもよい。第２フェルト７は、前後方向の厚みが第１フェルト６よりも薄いフェルトに、一条のスリット４と複数の交差スリット５が形成されていてもよい。第２フェルト７は、一条のスリット４と交差スリット５と切抜き部１０を形成してもよいし、それに第１フェルト６より薄いフェルトを使用してもよい。表面シート９を用いないゲート構造であってもよい。正面ではなくゲート２の背面に表面シート９や第１フェルト６を固着してもよい。第２フェルト７のディスク保持力を第１フェルト６よりも弱くするには、これまで述べた方法に限定する必要はなく、どのような方法であっても構わない。
【図面の簡単な説明】
【００２４】
【図１】本発明に係るゲート構造の説明図である。
【図２】本発明に係るゲート構造の説明図である。
【図３】本発明に係るゲート構造の説明図である。
【図４】表面シートの背面図である。
【図５】固着された表面シートと第１フェルトと第２フェルトの正面図である。
【図６】図５に示したＡ−Ａ線の拡大断面図である。
【図７】固着された表面シートと第１フェルトと第２フェルトの背面図である。
【図８】固着された表面シートと第１フェルトと第２フェルトの平面図である。
【図９】固着された表面シートと第１フェルトと第２フェルトとゲート部材の正面図である。
【図１０】図９に示したＢ−Ｂ線の拡大断面図である。
【図１１】固着された表面シートと第１フェルトと第２フェルトとゲート部材の斜視図である。
【図１２】ディスク装置をあらわす斜視図である。
【図１３】縦型のディスク装置にディスクが保持された状態をあらわす斜視図である。
【図１４】ユーザーが手でディスクを挿し込む寸前と引き出した直後の状態をあらわす説明図である。
【図１５】ディスクがスロットイン・メカの搬入位置で保持されている状態をあらわす説明図である。
【図１６】ディスクが引き出し位置で保持されている状態をあらわす説明図である。
【符号の説明】
【００２５】
１  ディスク
２  ゲート
３  ディスク装置
４  一条のスリット
５  交差スリット
６  第１フェルト
７  第２フェルト
８  ディスク通過口
９  表面シート
１０  切り抜き部
【図１】
2005285266.tif 000003
【図２】
2005285266.tif 000004
【図３】
2005285266.tif 000005
【図４】
2005285266.tif 000006
【図５】
2005285266.tif 000007
【図６】
2005285266.tif 000008
【図７】
2005285266.tif 000009
【図８】
2005285266.tif 000010
【図９】
2005285266.tif 000011
【図１０】
2005285266.tif 000012
【図１１】
2005285266.tif 000013
【図１２】
2005285266.tif 000014
【図１３】
2005285266.tif 000015
【図１４】
2005285266.tif 000016
【図１５】
2005285266.tif 000017
【図１６】
2005285266.tif 000018